(57)【要約】【課題】本発明は、医療及び福祉施設などにおいて、様々な方法で運搬あるいは保管しているマットレスを管理する上での無駄を省き、作業者がより少ない労力で効率良く働くことができることを主眼に置いて形態を追求した、用途の広い、マットレスの移動、保管台を提供する。【手段】載せるための台座を、縦、横共に伸縮できる仕組みとして、幅を狭めることにより、ベッドサイドまで直接マットレスを搬入することができる形態とする。また、載せたマットレスが安定した状態を保つために設ける柵は、位置を変えて抜き差しできるものとすることにより、積み降ろしが容易で、マットレスを１枚載せただけの交換作業も、マットレスが安定した形を保ったまま移動でき、作業しやすい構造とする。【選択図】図１
2007045378.tif 000002
【特許請求の範囲】
【請求項１】
上に載せるマットレスの枚数、厚さに応じて台座の横幅を変えるために、底面の両端に自在キャスターを付け、上部に取り外すことのできるガード柵を設けた支持パイプを、伸縮させて固定できる可動金具によって接合すると共に、支持パイプの両端に、差し込むかたちで延長パイプを設け、必要に応じてそれを伸縮固定することにより、台座の長さも調整できる構造とした、マットレス専用の移動、保管台。
【請求項２】
支持パイプを接合するための可動金具を、２つに折り畳むことにより伸縮する方式として、余分な操作をしなくても閉じやすくするために、最も広げた状態でも、開き角度がくの字の形で止まる形状とする。なお、この２つ折り金具は、直接マットレスをその上に載せるため、閉じるとき表面の布地を挟み込まないことも形に配慮した、請求項１の、マットレス専用の移動保管台。
【発明の詳細な説明】
【技術分野】
【０００１】  本発明は、主に医療、福祉施設において、ベッドの必需品として使用しているマットレスを運搬、あるいは保管するための専用の台車であり、その形態と仕組みに関するものである。
【背景技術】
【０００２】  従来、使用中のマットレスを必要に応じて交換しようとする場合、大半の施設が、ワゴン車、もしくは前後に把手の付いている台車を利用して、その上に平積みして運ぶか、あるいは柵で仕切られた長尺物用の荷物台を専用台として代用している。あまり広くない施設においては、すべて手作業で済ませているところも多い。
予備マットレスの保管に関しては、ほとんどの施設がリネン室内にそれ専用の収納スペースを確保していて、その中に平積みするか、あるいは重ねあわせにして立て掛ける方法をとっている。リネン類の増加などにより、室内が手狭になったために止むを得ず、人目のつかない通路の片隅に、シーツなどにくるんで保管している施設もある。
【発明の開示】
【発明が解決しようとする課題】
【０００３】  継続使用しているマットレスを交換しようとするとき、次のような問題点があった。
ワゴン車や台車の上に平積みして運ぶ場合、前後左右に広く面積を占めるので通行の妨げとなり、エレベータ内、狭い通路などでのスムーズな進行は苦難である。長尺物用の荷物台に立てるかたちで運ぶ方法も、仕切ってある柵の間隔が広すぎたり、あるいは台の丈が短すぎたりすることが多く、特に腰の弱い薄手のマットレスを運ぶためには、不本意である。
また、リネン室内に平積み、もしくは重ね合わせて立て掛けてあるマットレスは、大半の施設が、左右ぎりぎりの寸法でスペースを設けているため、１番奥、あるいは下のものを取り出そうとするとき二度手間となって厄介である。床が連なっていてそのまま収納スペースの床でもある場所に、じかにマットレスを立て掛けている施設もあるが、いかにも崩れそうで安定であり、衛生面でも問題がある。
本発明は、以上の問題点を解決し、少人数でも効率良く作業が進められることを主眼に置いて、形態を追求したものである。
【課題を解決するための手段】
【０００４】  底面に自在キャスターを設けた台座の上に、横側面を下にして立てるかたちでマットレスを載せ、そのマットレスが形くずれすることなく状態を保ったまま移動、保管できる専用台とし、載せるマットレスの枚数、厚さに応じて台座の幅、長さを変えることのできる構造とする。なお、マットレスが倒れないために設ける柵は、取り外して差し替えできるものとする。
本発明は、以上の構造よりなる。
【発明の効果】
【０００５】  本発明は、狭い通路でも進行の妨げになることなく移動でき、直接ベッドサイドまで搬入することが可能なため、少ない手間でも効率良く作業を進めることができると共に、保管においては、載せた状態のまま収納スペースに納めることにより、引き出せば、１番奥のマットレスを取り出すことも容易である。天日干しを消毒の手段としている施設も数多くあるが、載せたまま裏返すことができるだけでなく、俄か雨に見舞われても、敏速に対処できる利点がる。
【発明を実施するための最良の形態】
【０００６】  以下、本発明の実施の形態を説明する。
（イ）マットレスの縦幅の、およそ半分程の長さとした３本の角パイプを、等間隔に平列させたものを支持パイプ（１）として、それを４等分したそれぞれの位置を、２つ折りベース金具（２）によって接合したものを、マットレスを載せるための台座の本体とする。
（ロ）その２列に連結した支持パイプ（１）の両端に、同じく先端近くを２つ折りベース金具（２）によって接合した延長パイプ（３）を、差し込むかたちで設ける。延長パイプ（３）は、必要に応じてスライドさせ、長さを変えて延長パイプ固定ネジ（９）によって固定するものである。
（ハ）キャスターは、支持パイプ（１）の底面両端近くに設けるが、真ん中の支持パイプ（１）に限っては、美観を考えればやや中寄りか、あるいは、２つ折りベース金具（２）の強度が十分であれば、当図面に表したように中心箇所に１個でも良い。
（ニ）２つ折りベース金具（２）は、台座の幅を変えるためのものであるが、マットレスをじかに載せ、その重みを直接受ける部分でもあるので、上面が平らで、できるだけ表面積のある形とする。また、大半の施設が、ワンフロアー当たりで保管している予備マットレスの枚数は多くても５枚までなので、最大限に拡げて４、５枚載り、１列だけなら厚手のマットレスが２枚載る位の伸縮幅とする。
（ホ）また、２つ折りベース金具（２）は、最大限に拡げても、開き角度がくの字の位置で止まる仕組みとして、縮めようとするときに余分な操作をしなくても済むものとする。
（ヘ）さらに、２つ折りベース金具（２）は、伸縮させるときに常に全体が連動して平行移動しなければならないが、金具のくの字のかたちが支持パイプ（１）の中心から内に向かって、左右対称となるよう配列する。
（ト）幅調整金具（５）は、ベース金具（２）を伸縮固定するためのものであるが、複数のマットレスを載せてある状態でも無理なく操作ができるように、列それぞれに単独で設ける。その仕組みは、真ん中の支持パイプ（１）の底面１箇所をそれぞれ支点として、最も幅を拡げても斜になる長さの接続棒によって、両外の支持パイプ（１）に設けた幅調整金具サイド棒（６）の幅調整金具固定ネジ（７）部分と連結する。
（チ）幅調整金具サイド棒（６）は、幅調整金具固定ネジ（７）部分を支えると共に、必要に応じて、幅調整金具固定ネジ（７）をスライドさせて固定するものであるので、そのために必要な長さ、強度とする。
（リ）延長パイプ（３）は、薄くて腰の柔らかいマットレスを載せる時などに引き伸ばして、延長パイプ固定ネジ（９）により固定して利用するが，その先端上部に、マットレスが横にはみ出さないためのいざり止め金具（８）を付ける。
（ヌ）ガード柵（４）は、支持パイプ（１）と同じ位の横幅として、マットレスより上にはみ出すことなく、手を添えて移動しやすい高さとする。さらに、その差し込み部分となる２本のパイプは、十分な強度のものとする。
（ル）ガード柵（４）を差し込むために、柵差し込み穴（１０）を支持パイプ（１）の上面に設けるが、その位置は、支持パイプ（１）の中をスライド移動する延長パイプ（３）のストロークに必要な長さを両端に残した範囲内とし、できるだけ広くとる。
本発明は以上の構成よりなる。
本発明を利用する場合は、マットレス１枚を移動するときには、２つ折りベース金具（２）を２列とも畳み、片側のガード柵（４）を取り外してマットレスを載せる。次には、取り外したガード柵を、真ん中の支持パイプ（１）にも設けてある柵差し込み穴（１０）に差し替えて使用する。
複数のマットレスを保管する場合には、載せるマットレスが薄手のものでなくても、延長パイプ（３）を引き伸ばして固定し、台座の幅をガード柵（４）がマットレスの両端をしっかり挟んだ状態にして固定する。
【図面の簡単な説明】
【０００７】
【図１】本発明の斜視図
【図２】本発明を最大限に拡げたときの平面図
【図３】本発明を最小限に縮めたときの底面図
【図４】本発明の２つ折りベース金具の拡大図
【図５】本発明の幅調整金具部分の拡大図
【図６】本発明にマットレスを載せたときの側面参考図
【図７】本発明にマットレス１枚を載せたときの正面参考図
【符号の説明】
【０００８】（１）支持パイプ、（２）２つ折りベース金具、（３）延長パイプ、（４）、ガード柵、（５）幅調整金具、（６）幅調整金具サイド棒、（７）幅調整金具固定ネジ、（８）いざり止め金具、（９）延長パイプ固定ネジ、（１０）柵差し込み穴、（１１）キャスター
【図１】
2007045378.tif 000003
【図２】
2007045378.tif 000004
【図３】
2007045378.tif 000005
【図４】
2007045378.tif 000006
【図５】
2007045378.tif 000007
【図６】
2007045378.tif 000008
【図７】
2007045378.tif 000009